(57)【要約】【課題】  従来、浄化装置自身が回転及び自走し、湯面、及び湯の上層部に浮遊する毛髪等不純物を回収し、また浴槽に付いた汚れを除去し、浴槽の湯水、及び浴槽を清潔に保ものは存在しなかった。【解決手段】  本発明は、取水口と、複数の排水口を備えた容器内に駆動部、浄化部と、及び流路内に磁気プレートを備えた浴槽内の湯面に浮く浄化装置で、浄化部を、容器内に形成される取水口とし、流路には部屋を形成し、その出口に複数の排水口を設け、駆動部に設けた羽根車を設け、複数の排水口は、水平方向で、放射方向に設けた数本の排水口で、容器に旋回力を付与し、また、他の排水口で浴槽の湯水を攪拌する構成である。【選択図】      図１
2011160855.tif 000002
【特許請求の範囲】
【請求項１】
取水口と、複数の排水口を備えた容器内に駆動部、浄化部と、及び流路内に磁気プレートを備えた浴槽内の湯面に浮く浄化装置であって、
前記浄化部を、前記容器内に形成される流路に設けるとともに、この流路の入口は、前記取水口に、また、該流路の中間には部屋を形成し、さらに、該流路の出口は、前記複数の排水口にそれぞれ連通する構造とし、
また、前記駆動部の出力軸に設けた羽根車を、前記部屋に設ける構造とし、
前記複数の排水口は、容器の水平方向で、かつその放射方向に設けた数本の第一排水口と、この水平方向で、かつその放射方向より偏倚した方向に向かった数本の第二排水口と、前記容器の垂直方向に開設した第三排水口とで構成することで、この第一、第二排水口で、容器に旋回力を付与し、また、前記第三排水口で、浴槽の湯水を攪拌させる構造としたことを特徴とする回転式及び自走式の浄化装置。
【請求項２】
請求項１に記載の回転式及び自走式の浄化装置において、
前記容器を内外筒の構造とし、
前記外筒の内部には浮遊手段を設け、この浮遊手段で前記外筒を上下動することによって浄化装置の浮力を調整することを特徴とする回転式及び自走式の浄化装置。
【請求項３】
請求項１又は請求項２に記載の回転式及び自走式の浄化装置において、
前記容器の外周面には、清掃手段を設けることを特徴とする浄化装置。
【請求項４】
請求項１乃至請求項３のいずれか一に記載の回転式及び自走式の浄化装置において、
前記容器の外周面には、カバーを回動自在に設け、
このカバーを回動させることによって前記容器に設けた前記第一排水口、第二排水口を塞ぐ一方、該カバーを回動させることによって前記容器に設けた前記第一排水口、第二排水口を開放することを特徴とする浄化装置。
【請求項５】
請求項１乃至請求項４のいずれか一に記載の回転式及び自走式の浄化装置において、
前記浄化部を銅製とすることを特徴とする浄化装置。
【発明の詳細な説明】
【技術分野】
【０００１】
本発明は、浴槽内の湯面に浮かべて浴槽内を回転及び自走することによって浴槽を清掃及び浴湯を浄化する浄化装置に関する。
【背景技術】
【０００２】
一般家庭用の浴槽においては、風呂水の水質を維持するために、様々な種類の風呂湯の浄化装置がある。ここで、一般家庭用の風呂湯の浄化装置に関する先行文献を、以下列挙する。
【０００３】
文献（１）は、特開２０００−１５０１６の「浄化装置」であり、この発明は、「槽体内に配設する本体部の液中に配される下部に吸込口部を設けると共に、本体部の上部に吐出口部を設け、この吸込口部より槽液を吸い込み吐出口部より吐出させる循環駆動装置を前記本体部内に設け、この本体部内の槽液通過部に浄化材を収納した収納部を設ける」ことを特徴とする浄化装置である。
文献（２）は、特開２００８−３０７３１９の「浴槽内での浴槽の浄化装置」であり、この発明は、「浴槽の湯面に浮遊する浮体を有し、浮体は、湯面の近傍に複数の吸込み口を配した湯面浮遊部と、湯面浮遊部の中央に吸込み口から吸い込んだ浴湯を集合しフィルターを介して排水口から湯面の下方に排出するために内部にスクリューを有する垂下管と、スクリューを駆動するモーター部とを備えた」ことを特徴とする浄化装置である。
文献（３）は、特開２００７−３７９３１の「風呂の湯および浴槽の浄化装置」であり、この発明は、「舟形あるいは魚形等の玩具のごとき形状にて、湯面の外周を廻ることにより水流を発生させ、浮遊する毛髪、湯垢、石鹸滓等を、風呂の湯面および湯面の外周部に移動させることにより、効率よく回収することを特徴とし、また湯面の外周部を廻る際には、浴槽の湯面との接触部に付着する湯垢、石鹸滓等を擦り取りながら進行する」ことを特徴とする浄化装置である。
【０００４】
【特許文献１】特開２０００−１５０１６
【特許文献２】特開２００８−３０７３１９
【特許文献３】特開２００７−３７９３１
【発明の概要】
【発明が解決しようとする課題】
【０００５】
しかし、文献（１）は、浴槽内の槽液を本体部の下部に設けた吸込口部から吸込み、この吸込んだ槽液を本体部の上部に設けた吐出口から吐き出す構成であるため、本願発明のように、浄化装置の上方に設けた取水口より湯水を浄化装置の内部に取り込み、浄化された湯水を浄化装置の下方に設けた排水口より排出し、湯水を攪拌を発生させ、浴槽の中層部、下層部の不純物を浮き上がらせ、上層部の不純物等と共に回収し、湯水との分離を図るものとは相違する。また、本願発明のように、浄化装置自体が回転及び自走する構成のものではない。
【０００６】
文献（２）は、浄化装置が湯面の外周を廻ることによって水流を発生させ、浮遊する毛髪、湯垢、石鹸滓等を風呂の湯面、及び湯面の外周部に移動させることにより、効率よく回収する構成であるが、本願発明のように、主に浄化装置を回転及び自走させるための湯水を排水する排水口と、主に風呂の湯水を攪拌させるための排水口を構成し、この排水口からの排水によって浄化装置自体が回転及び自走する構成のものではない。
【０００７】
文献（３）は、電気エネルギーによって浄化装置が自走し、湯面の外周を廻ることにより水流を発生させ、浴槽の湯面との接触部に付着する湯垢、石鹸滓等を擦り取りながら進行するものであるが、本願発明のように浄化装置自体は回転しないため、浴槽の湯垢等の回収効果に課題が残る。
【０００８】
本願発明は、上記事情に鑑みなされたものであり、浄化装置を風呂湯に浮かべ、浄化装置自身が回転及び自走し、湯面、及び湯の上層部に浮遊する毛髪、湯垢、石鹸滓等不純物を回収して、湯水との分離を図り風呂湯を浄化する一方、浴槽や排水溝等のヌメリ（バイオフィルム）を付着しにくくし、すでに付いた汚れをも取り除き、浴槽の湯水、及び浴槽の清潔感を保ち、減菌、殺菌、及び健康衛生面でも効果を提供することを意図する。
【課題を解決するための手段】
【０００９】
請求項１に記載の発明は、取水口と、複数の排水口を備えた容器内に駆動部、浄化部と、及び流路内に磁気プレートを備えた浴槽内の湯面に浮く浄化装置であって、前記浄化部を、前記容器内に形成される流路に設けるとともに、この流路の入口は、前記取水口に、また、該流路の中間には部屋を形成し、さらに、該流路の出口は、前記複数の排水口にそれぞれ連通する構造とし、また、前記駆動部の出力軸に設けた羽根車を、前記部屋に設ける構造とし、前記複数の排水口は、容器の水平方向で、かつその放射方向に設けた数本の第一排水口と、この水平方向で、かつその放射方向より偏倚した方向に向かった数本の第二排水口と、前記容器の垂直方向に開設した第三排水口とで構成することで、この第一、第二排水口で、容器に旋回力を付与し、また、前記第三排水口で、浴槽の湯水を攪拌させる構造としたことを特徴とする回転式及び自走式の浄化装置である。
【００１０】
したがって、請求項１の発明は、浄化装置を湯面に浮かべて、駆動部の出力軸に設けた羽根車（インペラ−）の回転により取水口から湯水を毛髪、湯垢、石鹸滓等の不純物と共に浄化装置の内部に取り込み、浄化された湯水を排水口より排出し、浴槽内の湯水を攪拌させ、浴槽の中層部、及び下層部の不純物を浮き上がらせ、上層部の不純物等と共に回収し、湯水との分離を図ることで浄化効率を上げる効果があるものとした。
【００１１】
請求項２に記載の発明は、請求項１に記載の回転式及び自走式の浄化装置において、前記容器を内外筒の構造とし、前記外筒の内部には浮遊手段を設け、この浮遊手段で前記外筒を上下動することによって浄化装置の浮力を調整することを特徴とする回転式及び自走式の浄化装置である。
【００１２】
したがって、請求項２の発明は、外筒内に設けた浮遊手段によってエアーポケットの大きさを調整することにより、湯面の最も適切な位置に浄化装置を設定することができるため、湯水の上層部に浮遊する毛髪、湯垢、石鹸滓等の不純物Ｄを最も効率的に回収し、湯水を浄化することができる。
【００１３】
請求項３に記載の発明は、請求項１又は請求項２に記載の回転式及び自走式の浄化装置において、前記容器の外周面には、清掃手段を設けることを特徴とする浄化装置である。
【００１４】
したがって、請求項３の発明は、浄化装置の外周面には、清掃手段を設けることを特徴とすることによって、特に不純物が付着しやすい浴槽と湯面との接触部付近とその周辺を浄化装置の回転及び／又は自走により付着した異物を擦り取りながら移動するため、浴槽を清潔に保つことができる。
【００１５】
請求項４に記載の発明は、請求項１乃至請求項３のいずれか一に記載の回転式及び自走式の浄化装置において、前記容器の外周面には、カバーを回動自在に設け、このカバーを回動させることによって前記容器に設けた前記第一排水口、第二排水口を塞ぐ一方、該カバーを回動させることによって前記容器に設けた前記第一排水口、第二排水口を開放することを特徴とする浄化装置である。
【００１６】
したがって、請求項４の発明は、浄化装置の外周面に取り付けられたカバーを回して水平方向へ排水する排水口を完全に塞ぎ、湯水を垂直方向へ排水する排水口のみから排水（噴射）させることにより浄化装置の回転及び／又は自走を停止し、所定の場所に留まり湯水の浄化を持続するため、入浴中、あるいは、浄化装置を所定の場所に固定して使用することもできる。
【００１７】
請求項５に記載の発明は、請求項１乃至請求項４のいずれか一に記載の回転式及び自走式の浄化装置において、前記浄化部を銅製とすることを特徴とする浄化装置である。
【００１８】
したがって、請求項５の発明は、浄化部を銅製とするため、銅イオンによる減菌、殺菌効果を更に高め、有効せしめる。
【発明の効果】
【００１９】
請求項１の発明は、浄化装置を湯面に浮かべて、駆動部の出力軸に設けた羽根車（インペラ−）の回転により取水口から湯水を毛髪、湯垢、石鹸滓等の不純物と共に浄化装置の内部に取り込み、浄化された湯水を排水口より排出し、浴槽内の湯水を攪拌させ、浴槽の中層部、及び下層部の不純物を浮き上がらせ、上層部の不純物等と共に回収し、湯水との分離を図ることで浄化効率を上げる効果があるものとした。また、特に不純物が付着しやすい浴槽と湯面との接触部付近とその周辺を浄化装置の回転及び／又は自走により付着した異物を擦り取りながら移動するため、浴槽を清潔に保つことができる。
【００２０】
請求項１は、取水口と、複数の排水口を備えた容器内に駆動部、浄化部と、及び流路内に磁気プレートを備えた浴槽内の湯面に浮く浄化装置であって、浄化部を、容器内に形成される流路に設けるとともに、流路の入口は、取水口に、また、流路の中間には部屋を形成し、さらに、流路の出口は、複数の排水口にそれぞれ連通する構造とし、また、駆動部の出力軸に設けた羽根車を、部屋に設ける構造とし、複数の排水口は、容器の水平方向で、かつ放射方向に設けた数本の第一排水口と、水平方向で、かつ放射方向より偏倚した方向に向かった数本の第二排水口と、容器の垂直方向に開設した第三排水口とで構成することで、第一、第二排水口で、容器に旋回力を付与し、また、第三排水口で、浴槽の湯水を攪拌させる構造としたことを特徴とする回転式及び自走式の浄化装置である。
【００２１】
請求項２の発明は、外筒内に設けた浮遊手段によってエアーポケットの大きさを調整することにより、湯面の最も適切な位置に浄化装置を設定することができるため、湯水の上層部に浮遊する毛髪、湯垢、石鹸滓等の不純物Ｄを最も効率的に回収し、湯水を浄化することができる。
【００２２】
請求項２は、請求項１に記載の回転式及び自走式の浄化装置において、容器を内外筒の構造とし、外筒の内部には浮遊手段を設け、浮遊手段で前記外筒を上下動することによって浄化装置の浮力を調整することを特徴とする回転式及び自走式の浄化装置である。
【００２３】
請求項３の発明は、浄化装置の外周面には、清掃手段を設けることを特徴とすることによって、特に不純物が付着しやすい浴槽と湯面との接触部付近とその周辺を浄化装置の回転及び／又は自走により付着した異物を擦り取りながら移動するため、浴槽内を清潔に保つことができる。
【００２４】
請求項３は、請求項１又は請求項２に記載の回転式及び自走式の浄化装置において、容器の外周面には、清掃手段を設けることを特徴とする浄化装置である。
【００２５】
請求項４の発明は、浄化装置の外周面に取り付けられたカバーを回して水平方向へ排水する排水口を完全に塞ぎ、湯水を垂直方向へ排水する排水口のみから排水（噴射）させることにより浄化装置の回転及び／又は自走を停止し、所定の場所に留まり湯水の浄化を持続するため、入浴中、あるいは、浄化装置を所定の場所に固定して使用することもできる。
【００２６】
請求項４は、請求項１乃至請求項３のいずれか一に記載の回転式及び自走式の浄化装置において、容器の外周面には、カバーを回動自在に設け、カバーを回動させることによって容器に設けた第一排水口、第二排水口を塞ぐ一方、カバーを回動させることによって容器に設けた第一排水口、第二排水口を開放することを特徴とする浄化装置である。
【００２７】
請求項５の発明は、浄化部を銅製とするため、銅イオンによる減菌、殺菌効果を更に高め、有効がある。
【００２８】
請求項５は、請求項１乃至請求項４のいずれか一に記載の回転式及び自走式の浄化装置において、浄化部を銅製とすることを特徴とする浄化装置である。
【図面の簡単な説明】
【００２９】
【図１】本発明の断面図である。
【図２】本発明のＡ方向矢視図である。
【図３】本発明のＢ−Ｂ断面図である。
【図４】本発明を浴槽に浮かべた状態を表した図である。
【図５】本発明の軌道の一例を示した図である。
【発明を実施するための形態】
【００３０】
まず、一の実施例である浄化装置１００について説明する。一の浄化装置１００の主要な構成物品を大別すると、外筒１、内筒２、駆動部３とからなり、外筒１内に内筒２が挿入されて容器５０を形成し、この容器５０の中心位置に駆動部３が挿通される。
【００３１】
そして、容器５０内には、湯水（水）が流れる流路２３を設け、この流路２３の中間には部屋５０ｂを形成する。この流路２３の入口は取水口１２で、流路２３の出口である複数の排水口の第一排水口６１，第二排水口６２，第三排水口６３にそれぞれ連通する構造である。
【００３２】
外筒１は、上端１ａ、及び下端１ｄが開口している円筒状である。また、外筒１には、上端１ａの開口を開閉する蓋体１１を備えており、この蓋体１１は、図１のような係止手段１１ａを設けることによって、ロック又は解除することができる。
【００３３】
そして、外筒１の上端１ａの開口の下方には、不純物Ｄを含んだ湯水が浄化装置１００内へ流れ込むための複数の取水口１２を設けている。なお、取水口１２の数としては、例えば、４箇所程度が望ましい。また、この取水口１２は、様々な大きさとすることができる。
【００３４】
取水口１２の下方であり、かつ外筒１の内周面１ｅには浮遊手段１３を設けている。浮遊手段１３を構成する浮力調整具１３ａによってエアーポケット１５の大きさを調整することができ、このエアーポケット１５を調整することにより浄化装置１００の浮力を調整する。具体的には、浮力調整具１３ａを調節することによって外筒１を上下動させ、エアーポケット１５の大きさを変え、浄化装置１００の浮力を調整する。このように、浄化装置１００の浮力を調整することによって、浄化装置１００を湯面の最も適切な位置に設定し、湯水の上層部に浮遊する毛髪、湯垢、石鹸滓等の不純物Ｄを最も効率的に回収し、湯水を浄化することができる。
【００３５】
外筒１の外周面１ｃには、例えば、スポンジや織布等の清掃手段１４を設けている。清掃手段１４を設ける位置としては、清掃目的を達成することができればどの位置に設けてもよい。そして、清掃手段１４が設けられた浄化装置１００が、浴槽Ａ内を回転及び／又は自走することにより、この清掃手段１４が浴槽Ａの内側に接触し、浴槽Ａと湯面Ｂとの接触部Ｃ付近に付着する毛髪、湯垢、石鹸滓等の不純物Ｄを擦り取りながら移動することによって浴槽Ａを清潔にする。
【００３６】
外筒１内に挿入される内筒２は、上端２ａが開口しており、下端２ｄには底部２ｅを設けている円筒状である。
【００３７】
また、外筒１と内筒２で構成される容器５０の内部には、浄化部２２を設ける。この浄化部２２を構成する物品としては、例えば、フィルター２２ａやケースが挙げられる。
【００３８】
まず、フィルター２２ａについて説明する。フィルター２２ａは、取水口１２から浄化装置１００の内部に流れ込んだ不純物Ｄを含んだ湯水がフィルター２２ａを介することによって毛髪、湯垢、石鹸滓等の不純物Ｄと分離されることを目的とする。
【００３９】
このフィルター２２ａの素材としては、例えば、プラスチックや合成樹脂等が挙げられる。そして、フィルター２２ａの目合も、例えば、目に見える比較的大きな不純物Ｄを除去するための大きいものから、比較的小さな不純物Ｄを除去するため不織布等のような小さいもの、あるいは、中空糸や細菌等も分離可能とする極めて微細なものまで様々なものを使用できる。このように、フィルター２２ａの素材等を変えることによって様々な大きさの不純物Ｄを除去できる。
【００４０】
また、このフィルター２２ａの形状は、不純物Ｄを回収し易くするために、その表面積をできるだけ大きくすることができ、傾斜面の他、円錐形や円筒形、波形等にすることもでき、方形状のものを多数設ける構成でもよい。
【００４１】
なお、フィルター２２ａは、容器５０の内部から着脱自在とすることもできる。この場合は、外筒１の蓋体１１を開いて、外筒１の上端１ａの開口からフィルター２２ａを取り出し、このフィルター２２ａを水道水で容易に洗浄することができるため、回収した不純物Ｄをフィルター２２ａから取り去ることができる。もちろん、フィルター２２ａ自体の交換も可能である。
【００４２】
次に、銀イオンセラミックボール等を収納するケースについて説明する。ケースとしては、様々な組み合わせがあるが、一例として、図１で図示する、以下のような組み合わせが考えられる。
【００４３】
ケースは、外側ケース２２ｂと内側ケース２２ｃに分類でき、この外側ケース２２ｂ、及び内側ケース２２ｃを内筒２に内設する。そして、外側ケース２２ｂ内及び内側ケース２２ｃ内には、後述する殺菌剤、除菌剤、減菌剤、消臭剤、銀イオンセラミックボール等を収納し、外側ケース２２ｂ、及び内側ケース２２ｃに設けた穴から浄化された湯水が流れ出る。
【００４４】
具体的な収納物として、例えば、外側ケース２２ｂには、湯水の消臭、清浄効果、あるいは、健康衛生効果があるとされる活性炭、備長炭、竹炭、ハーブミント、及び種々のセラミックボール等をメッシュの袋等に入れた状態で収納する。また、例えば、内側ケース２２ｃには、湯水の浄化、脱臭、抗菌、殺菌等の効果があるとされる銀イオンセラミックボール等の殺菌、抗菌セラミックボールを収納する。
【００４５】
そして、外側ケース２２ｂや内側ケース２２ｃをレジオネラ菌や大腸菌等に対して殺菌効果があるとされる銅製とすることによって、銅イオンによって減菌、殺菌効果をさらに高めることができる。
【００４６】
また、この浄化装置１００の、後述する駆動部３のスイッチ３１を切り、モーター３４を停止させた状態で浴槽Ａの湯水に浮かべて置くだけで、内側ケース２２ｃの内容物である種々の殺菌抗菌セラミックボールの効力で湯水を減菌、殺菌する効果や、健康衛生でもその効果は持続する。
【００４７】
さらに、この外側ケース２２ｂ内、及び内側ケース２２ｃも容器５０から着脱自在とすることができ、この場合、蓋体１１を開いて外筒１の上端１ａの開口から外側ケース２２ｂ、及び内側ケース２２ｃを取り出し洗浄あるいは交換することもできる。この時、外側ケース２２ｂ内や内側ケース２２ｃ内に収納された活性炭等やセラミックボール等の殺菌剤、除菌剤、減菌剤、消臭剤は、自分の好みの種類に入れ換えるのも自由である。
【００４８】
容器５０に設置した外側ケース２２ｂの下方の流路２３には、２枚の磁気プレート２４を設ける構成も可能である。この２枚の磁気プレート２４を一定の間隔（例えば、約１ｍｍ〜５ｍｍ）で設けて磁場を形成し、この２枚の磁気プレート２４の間に湯水を通すことにより磁気イオン化された活水を作り、健康衛生面での効果（血行の促進、新陳代謝の促進）を有効せしめると共に、浴槽Ａや排水溝等に湯垢、ヌメリ等を付着し難くし、既に付着した汚れをも取り除く効果で浴槽Ａや排水溝等を清潔に保ち細菌等の発生を防ぐものである。したがって、このお湯で入浴すれば温まり易く、湯上りも湯冷めし難くなる。なお、水平方向の流路２５や垂直方向の流路２７に２枚の磁気プレート２４を設ける構成でもよい。
【００４９】
そして、この流路２３は、湯面に対して水平方向の流路２５、及び垂直方向の流路２７に分岐された後、水平方向の流路２５は、内筒２に設けた湯水を水平方向へ排水する水平方向の排水口２６へ、垂直方向の流路２７は、内筒２の下端２ｄの底部２ｅに設けた湯水を垂直方向へ排水する垂直方向の排水口２８に至る。すなわち、この浄化装置１００の排水口は、浄化装置１００の回転、及び／又は自走が主な目的である水平方向の流路２５と水平方向の排水口２６と、浴槽Ａの湯水を攪拌させるのが主な目的の垂直方向の流路２７と垂直方向の排水口２８の２種類を持つ特徴を有する。
【００５０】
このように、この浄化装置１００は、水平方向の流路２５と垂直方向の流路２７の２方向の流路を各々複数本持つ。そして、水平方向の流路２５は、それぞれが内筒２の水平断面（Ｂ−Ｂ断面）において所定の角度間隔をおいて配置されている。
【００５１】
水平方向の流路２５、及び水平方向の排水口２６からの浄化された湯水の噴射圧力によって浄化装置１００が回転、及び／又は自走する機能を有するため、水平方向の流路２５、及び／又は水平方向の排水口２６の角度（方向）や大きさを変更することにより湯水の噴射方向、及び圧力を変えることができ、浄化装置１００の回転、及び／又は自走の速さを変更調整することができる。例えば、水平方向の流路２５のうち４本を内筒２の水平断面において角度間隔３０°とすることによって浄化装置１００自体が回転し易くなり、また、水平方向の流路２５のうち４本を内筒２の水平断面において角度間隔９０°とすることによって浄化装置１００自体が自走し易くなる。
【００５２】
また、この水平方向の流路２５の所定の角度間隔は、各々相違する角度、例えば、図３のように、３０°間隔、６０°間隔、９０°間隔、１２０°間隔とすることができる。
【００５３】
水平方向の流路２５の角度間隔を上記のようにすると、水平方向の流路２５の数は図３のように４本となるが、水平方向の流路２５の角度間隔によっては水平方向の流路２５の数が増減する。具体的には、水平方向の流路２５の角度間隔が全て６０°間隔の場合は水平方向の流路２５の数は６本、水平方向の流路２５の角度間隔が全て９０°間隔の場合は水平方向の流路２５の数は４本、水平方向の流路２５の角度間隔が全て１２０°間隔の場合は水平方向の流路２５の数は３本となる。
【００５４】
図１で示すように、容器５０の中心位置に挿通された駆動部３は、スイッチ３１と、ケース３３に収容された電池３２、及びモーター３４と、このモーター３４の出力軸３６を介して連動する羽根車（インペラ−）３５とからなる。そして、流路２３の中間に形成された部屋５０ｂに駆動部３の出力軸３６に設けた羽根車３５を設ける。    
電池３２を動力源とするモーター３４により羽根車３５を回転させ、取水口１２より浴槽Ａの不純物Ｄを含んだ湯水を浄化装置１００内に取り込み循環させ、浄化した湯水を水平方向の排水口２６、及び垂直方向の排水口２８より排出して湯水を攪拌させ、中層部や下層部にある不純物Ｄも浮き上がらせ、上層部に浮遊する不純物Ｄと共に回収して効率よく湯水を浄化する。
【００５５】
なお、この浄化装置１００は、モーター３４の周囲にも湯水を循環させ、モーター３４の過熱を防ぐ機能を有すると共に、モーター３４の出力もロータリースイッチ３７等で２〜３段階に切り替えることにより浄化装置１００の回転、及び／又は自走する速度を調整する機能も有するものである。すなわち、ロータリースイッチ３７等を操作してモーター３４の回転数を変えることで湯水の排水圧を変化させることもできる。
【００５６】
また、この浄化装置１００の動力源である電池３２やモーター３４は、完全防水の密閉されたケース３３に収納されている。また、電池３２の交換は、ハンドル３０でネジを緩め配線室３８を開き、電池３２を取り出し交換する。なお、電池３２としては、マンガン乾電池、アルカリマンガン乾電池の他、ニッケル・カドミウム蓄電池等の充電式電池等を使用することもできる。
【００５７】
さらに、この浄化装置１００は、内筒２の外周面２ｃの水平方向の排水口２６周辺に、例えば、円筒状のカバー４０を設けることによって、この円筒状のカバー４０を回して水平方向の排水口２６を塞ぎ、垂直方向の排水口２８のみから浄化された湯水を噴射（排水）することにより、浄化装置１００の回転、及び／又は自走を停止して所定の位置に留まり、湯水の浄化作用を持続することを特徴とするものである。これにより、入浴時等、浄化装置１００を停止して使用したい時に浄化装置１００を所定の場所に留めておくことも可能である。なお、カバー４０は、水平方向の排水口２６を塞ぐことができれば、どのような構成であってもよい。
【００５８】
次に、図示しない他の実施例の浄化装置１００を説明する。他の実施例の浄化装置１００は、一つの容器５０で構成され、この容器５０の外部、及び／又は内部に浮遊手段１３である風船又は発泡体を設ける構成である点以外は、一の実施例とほぼ同様である。
【００５９】
他の実施例での浮遊手段１３としては、例えば、空気を入れた風船や、ＥＶＡフォーム等の発泡体等を容器５０の外部に巻き付けることによって浄化装置１００を湯面において浮遊させる。その他、風船や、ＥＶＡフォーム等の発泡体等を容器５０の内部に収納する構成でもよい。なお、この風船や発泡体等にキャラクターをプリントすれば、子供にも喜ばれる。
【００６０】
以上説明したように、不純物Ｄを含んだ浴湯が入口である取水口１２から流入し、浄化部２２を経由した後に浄化され、この浄化された浴湯が水平方向の流路２５を通過して、水平方向の排水口２６からの排水によって浄化装置１００が回転、及び／又は自走する。
この浄化装置１００の回転、及び／又は自走によって浴槽Ａの上層部の不純物Ｄは勿論のこと、浄化装置１００の回転、及び／又は自走による湯水の攪拌効果によって、浴槽Ａの中層部や下層部の不純物Ｄも上層部へ移動して複数の取水口１２から入るため、浴槽Ａ全体の不純物Ｄが処理できる。
【００６１】
また、浄化部２２を経由した後に浄化された浴湯が内筒２の下端２ｄの底部２ｅに設けた垂直方向の排水口２８から排水されることによって浴槽Ａの下層部や中層部の湯水に含まれる不純物Ｄが上層部へ移動するため、浴槽Ａ全体の不純物Ｄの処理に有効である。
【００６２】
さらに、清掃手段１４を設けた浄化装置１００が回転、及び／又は自走することによって浴槽Ａや排水溝等を清潔に保つことができる。
【００６３】
この浄化装置１００で浄化された湯水は毎日交換する必要はなく、浴槽Ａや排水溝等も清潔に保たれ、少なくとも数日間は追い焚きのみで入浴できる。したがって、風呂に掛かる経費を節減できるため、節水、省エネ、ＣＯ２削減にも貢献できるものである。
【符号の説明】
【００６４】
１            外筒
１ａ          上端
１ｃ          外周面
１ｄ          下端
１ｅ          内周面
２            内筒
２ａ          上端
２ｃ          外周面
２ｄ          下端
２ｅ          底部
３            駆動部
１１          蓋体
１１ａ        係止手段
１２          取水口
１３          浮遊手段
１３ａ        浮遊調整具
１４          清掃手段
１５          エアーポケット
２２          浄化部
２２ａ        フィルター
２２ｂ        外側ケース
２２ｃ        内側ケース
２３          流路
２４          磁気プレート
２５          水平方向の流路
２６          水平方向の排水口
２７          垂直方向の流路
２８          垂直方向の排水口
３０          ハンドル
３１          スイッチ
３２          電池
３３          ケース
３４          モーター
３５          羽根車
３６          出力軸
３７          ロータリースイッチ
３８          配線室
４０          カバー
５０          容器
５０ｂ        部屋
６１          第一排水口
６２          第二排水口
６３          第三排水口
１００        浄化装置
Ａ            浴槽
Ｂ            湯面
Ｃ            接触部
Ｄ            不純物
【図１】
2011160855.tif 000003
【図２】
2011160855.tif 000004
【図３】
2011160855.tif 000005
【図４】
2011160855.tif 000006
【図５】
2011160855.tif 000007